(57)【要約】【目的】種々仕様の洋式便器の便座であっても低コストで適用することができ、排便を効果的に促す作用によって痔疾の改善や予防に効果的な痔対策に適する排便補助具を提供する。【構成】便座の最後部中央部分に取付けて排便を補助する排便補助具本体と、この排便補助具本体を便座に取付ける取付具と、この取付具を用いて排便補助具本体を便座に取付けるための説明を記録した取付説明書と、を有する構成において、  排便補助具本体は、便座の最後部中央部分の座面における前端縁から５〜３０ｍｍまでの範囲内で上方側に突出する前方肉厚部を有し、且つ座面における前端縁から５〜３０ｍｍまでの範囲内で前方側に突出する前方突出部を有する有形物であり、  取付具は、排便補助具本体を便座に取付ける取付用道具であり、  取付説明書は、取付具を用いて排便補助具本体を便座に取付けることが記録された記録媒体であること、  を特徴とする。【選択図】        図１
2017191770.tif 000002
【特許請求の範囲】
【請求項１】
上面が座面である便座の最後部中央部分に取付けて排便を補助する排便補助具本体と、この排便補助具本体を便座に取付ける取付具と、この取付具を用いて排便補助具本体を便座に取付けるための説明を記録した取付説明書と、を有する排便補助具において、
前記排便補助具本体は、前記便座の最後部中央部分の座面における前端縁から５〜３０ｍｍまでの範囲内で上方側に突出する前方肉厚部を有しており、且つ前記座面における前端縁から５〜３０ｍｍまでの範囲内で前方側に突出する前方突出部を有する有形物であり、
前記取付具は、前記排便補助具本体を前記前方肉厚部及び前方突出部が各々５〜３０ｍｍまでの範囲内で突出するように便座に取付ける取付用道具であり、
前記取付説明書は、前記取付具を用いて、前記排便補助具本体を前記前方肉厚部及び前方突出部が各々５〜３０ｍｍまでの範囲内で突出するように便座に取付けることが記録された記録媒体であること、
を特徴とする排便補助具。
【請求項２】
前記排便補助具本体は、１部材で構成されており、柔軟性材料で形成されていることを特徴とする請求項１に記載の排便補助具。
【請求項３】
前記排便補助具本体は、基盤部と表面被覆部との２部材から構成されており、前記基盤部が非柔軟性材料で形成され、前記表面被覆部が柔軟性材料で形成されていることを特徴とする請求項１に記載の排便補助具。
【請求項４】
前記取付具が、両面テープであることを特徴とする請求項１〜３のいずれかに記載の排便補助具。
【請求項５】
前記取付具が、結束バンドであることを特徴とする請求項１〜４のいずれかに記載の排便補助具。
【請求項６】
前記取付説明書が、紙媒体であることを特徴とする請求項１〜５のいずれかに記載の排便補助具。
【請求項７】
前記取付説明書が、デジタルデータであることを特徴とする請求項１〜６のいずれかに記載の排便補助具。
【発明の詳細な説明】
【技術分野】
【０００１】
本発明は排便補助具に関し、詳しくは、便座に取り付けて日々使用することにより円滑な排便を促して痔疾の改善や予防を図ることができる痔対策に有効な排便補助具に関する。
【背景技術】
【０００２】
肛門の疾病である痔疾は、その疾病箇所が肛門であるが故に排便時の苦痛が大きい。従って、排便時の肛門への負担を軽減することにより、苦痛を少しでも和らげる技術が種々提案されている（例えば、特許文献１〜３等参照）。【０００３】
特許文献１に記載の技術は、便座表面に凹凸を形成すると共に、便座に振動発生装置を内蔵することにより、排便を促すツボを刺激して円滑に排便できるようにする技術である。【０００４】
特許文献２に記載の技術は、便座の座面傾斜を前傾させることによって、踏ん張ることなく腹圧を高めることができ、外肛門括約筋が緩んだ状態で円滑に排便できるようにする技術である。【０００５】
特許文献３に記載の技術は、便座の座面傾斜を後傾させることによって、無理の無い姿勢で長時間しゃがむことができ、排便時の肛門や腸への負担を減らすようにする技術である。
【先行技術文献】
【特許文献】
【０００６】
【特許文献１】実開平０７−０１１９９８号公報
【特許文献２】実開平０６−０２４６００号公報
【特許文献３】特開２０００−１０４３２１号公報
【発明の概要】
【発明が解決しようとする課題】
【０００７】
特許文献１の技術では、振動発生装置を内蔵した便座はコスト高であるだけでなく、便器への取付作業等が煩雑であり、便器の型式等によって取付が困難乃至は不可能な場合があり、適用性に問題点を有している。更に、便座表面にランダムに配設された凹凸では効果の確実性が不充分であるという問題点を有している。【０００８】
特許文献２の技術では、便座を前傾させるには、便器本体を改造するか或いは便座の取付構成を大きく改造するかのいずれかの構造変更が必須であり、コスト高であるという問題点を有している。更に、普及率の高い洗浄機能を有する便器に適用した場合、利用者の着座位置が洗浄ノズルの調整範囲を超えた位置になってしまうという問題点を有している。【０００９】
特許文献３の技術では、便座を後傾させるには、便器本体を改造するか或いは便座の取付構成を大きく改造するかのいずれかの構造変更が必須であり、コスト高であるという問題点を有している。更に、普及率の高い洗浄機能を有する便器に適用した場合、利用者の着座位置が洗浄ノズルの調整範囲を超えた位置になってしまうという問題点を有している。
特に、便座の前方が上、後方が下という着座姿勢は足腰の弱った老人・病人には着座が困難であるという問題点を有している。即ち、座ろうとする際に高くなった便座前部を越えて跨らなければならないため後方へ倒れてしまうのではないかという不安や虞が生じ、更には。たとえ座れたとしても今度は自力では立ち上がれないのではないかという不安や虞を抱くという問題点を有している。【００１０】
そこで本発明の第１の目的は、種々仕様の洋式便器の便座であっても低コストで適用することができ、排便を効果的に促す作用によって痔疾の改善や予防に効果的な痔対策に適する排便補助具を提供することにある。【００１１】
また本発明の第２の目的は、使用したい時や使用したい人が必要に応じて適用することができる排便補助具を提供することにある。
【課題を解決するための手段】
【００１２】
上記課題を解決する本発明は下記構成を有する。【００１３】
１．上面が座面である便座の最後部中央部分に取付けて排便を補助する排便補助具本体と、この排便補助具本体を便座に取付ける取付具と、この取付具を用いて排便補助具本体を便座に取付けるための説明を記録した取付説明書と、を有する排便補助具において、
前記排便補助具本体は、前記便座の最後部中央部分の座面における前端縁から５〜３０ｍｍまでの範囲内で上方側に突出する前方肉厚部を有しており、且つ前記座面における前端縁から５〜３０ｍｍまでの範囲内で前方側に突出する前方突出部を有する有形物であり、
前記取付具は、前記排便補助具本体を前記前方肉厚部及び前方突出部が各々５〜３０ｍｍまでの範囲内で突出するように便座に取付ける取付用道具であり、
前記取付説明書は、前記取付具を用いて、前記排便補助具本体を前記前方肉厚部及び前方突出部が各々５〜３０ｍｍまでの範囲内で突出するように便座に取付けることが記録された記録媒体であること、
を特徴とする排便補助具。【００１４】
２．前記排便補助具本体は、１部材で構成されており、柔軟性材料で形成されていることを特徴とする上記１に記載の排便補助具。【００１５】
３．前記排便補助具本体は、基盤部と表面被覆部との２部材から構成されており、前記基盤部が非柔軟性材料で形成され、前記表面被覆部が柔軟性材料で形成されていることを特徴とする上記１に記載の排便補助具。【００１６】
４．前記取付具が、両面テープであることを特徴とする上記１〜３のいずれかに記載の排便補助具。【００１７】
５．前記取付具が、結束バンドであることを特徴とする上記１〜４のいずれかに記載の排便補助具。【００１８】
６．前記取付説明書が、紙媒体であることを特徴とする上記１〜５のいずれかに記載の排便補助具。【００１９】
７．前記取付説明書が、デジタルデータであることを特徴とする上記１〜６のいずれかに記載の排便補助具。
【発明の効果】
【００２０】
請求項１に示す発明によれば、種々仕様の洋式便器の便座であっても低コストで適用することができ、排便を効果的に促す作用によって痔疾の改善や予防に効果的な痔対策に適する排便補助具を提供することができる。【００２１】
特に、使用者が便座に着座した際に肛門付近の外側から直腸上部の内括約筋を刺激することができ、この刺激によって息んだり踏ん張ったり等の強い腹圧をかけることなく円滑に排便を行うことができる。従って、この円滑な排便により、苦痛を伴うことなく排便を行うことができ、痔疾の改善又は予防が可能となる。【００２２】
請求項２又は３に示す発明によれば、尾骨部分の肌表面に対して優しく接すると共に内活躍筋に対して効果的な刺激を作用させることができる。【００２３】
請求項４又は５に示す発明によれば、使用したい時や使用したい人が必要に応じて適用することができる排便補助具を提供することができる。即ち、当該排便補助具を不要とする使用者は、便座から排便補助具を取り外すこと又は取り付けないことができ、当該排便補助具を必要とする使用者は、便座に排便補助具を取り付けてから該便座に着座して排便を行うことにより、かかる排便補助具の効果を享受することができる。
【図面の簡単な説明】
【００２４】
【図１】本発明に係る排便補助具の一実施例を示す斜視図
【図２】排便補助具の排便補助具本体を便座に取付けた状態の一例を示す平面図
【図３】排便補助具を取付具（両面テープ）を用いて便座に取付けた状態を示す要部側面図（便座は概略断面図を示す。）
【図４】排便補助具本体を便座に取付具（結束バンド）を用いて取付け途中の状態を示す要部側面図（便座は概略断面図を示す。）
【図５】基盤部と表面被覆部との２部材から構成され、この２部材が結合前の状態である排便補助具本体の一例を示す側面図
【図６】基盤部と表面被覆部の２部材から構成された排便補助具本体の側面構成図（表面被覆部は断面図を示す。）
【図７】基盤部と表面被覆部の２部材から構成された排便補助具本体を便座に取付けた状態を示す要部平面図
【図８】基盤部と表面被覆部の２部材から構成された排便補助具本体を便座に取付具（両面テープ及び結束バンド）を用いて取付けた状態を示す側面図（便座は概略断面図を示す。）
【図９】排便補助具本体の他の実施例を示す側面図
【図１０】排便補助具本体の他の実施例を示す側面図
【図１１】排便補助具本体の他の実施例を便座に取付けた状態を示す平面図
【図１２】排便補助具本体の他の実施例を便座に取付けた状態を示す平面図
【図１３】排便補助具本体の他の実施例を便座に取付けた状態を示す平面図
【発明を実施するための形態】
【００２５】
次に、添付の図面に従って本発明を詳細に説明する。
【００２６】
本発明に係る排便補助具は、図１〜図３に示すように、
上面が座面である便座２の最後部中央部分に取付けて排便を補助する排便補助具本体３と、この排便補助具本体３を便座２に取付ける取付具６と、この取付具６を用いて排便補助具本体３を便座２に取付けるための説明を記録した取付説明書７と、を有する構成において、
前記排便補助具本体３は、前記便座２の最後部中央部分の座面における前端縁２０から５〜３０ｍｍまでの範囲内で上方側に突出する前方肉厚部３１を有しており、且つ前記座面２における前端縁２０から５〜３０ｍｍまでの範囲内で前方側に突出する前方突出部３２を有する有形物であり、
前記取付具６は、前記排便補助具本体３を前記前方肉厚部３１及び前方突出部３２が各々５〜３０ｍｍまでの範囲内で突出するように便座２に取付ける取付用道具であり、
前記取付説明書７は、前記取付具６を用いて、前記排便補助具本体３を前記前方肉厚部３１及び前方突出部３２が各々５〜３０ｍｍまでの範囲内で突出するように便座２に取付けることが記録された記録媒体であること、
を具体的構成とする。
尚、図２において、符号１は便器、符号４は便器１のフタ、符号５は水タンクを示す。
【００２７】
即ち、本発明にかかる排便補助具は、取付説明書７に記録された説明に従って便器１の便座２に着座した使用者の尾骨が位置する便座２の最後部中央部分に排便補助具本体３を取付具６を用いて取付けることにより、排便時に使用者の尾骨を排便補助具本体３の前方肉厚部３１及び前方突出部３２が下方から圧接する構成と成る。係る構成によって、使用者は、便器１の使用に際して排便補助具本体３が取り付けられた便座２に着座することにより、排便補助具本体３が使用者の肛門付近の外側から内括約筋を刺激することができ、この刺激によって息んだり踏ん張ったり等の強い腹圧をかけることなく円滑に排便を行うことができる。従って、この円滑な排便により、苦痛を伴うことなく排便を行うことができ、痔疾の改善又は予防が可能となる。
【００２８】
排便補助具本体３の便座２への取付位置としては、図３に示すように、排便補助具本体３の前方肉厚部３１が便座２の最後部中央部分の座面における前端縁２０から上方に５〜３０ｍｍまでの範囲内、好ましくは１０〜２０ｍｍまでの範囲内で上方側に突出し、且つ
排便補助具本体３の前方突出部３２が前記前端縁２０から５〜３０ｍｍまでの範囲内、好ましくは１０〜１５ｍｍまでの範囲内で前方側に突出するような位置である。かかる取付構成によって、排便を促す刺激が尾骨への効果的な刺激で作用させることができる。即ち、肛門付近の皮膚外側から外肛門括約筋に作用し、続いて内肛門括約筋にまで作用することにより、息んだり踏ん張ったり等の強い腹圧をかけることなく円滑に排便を行うことができる。
【００２９】
前記排便補助具本体３は、図１〜図３に示す実施例では１部材で構成されており、更に柔軟性材料で形成されているため、使用者が便座２に着座して該排便補助具本体３に尾骨を圧接させた際に不快感や痛み乃至は怪我を負うことがない。柔軟性材料としては、エアクッション等のように内部に空気を充填して膨らめた構成、柔軟性を有する天然ゴム又は合成ゴムから成る構成、柔軟性を有する合成樹脂やシリコーン樹脂から成る構成、等を挙げることができる。かかる構成によれば、身体に優しい刺激で排便を促す刺激作用を発揮することができる。
【００３０】
前記取付具６は、図３に示す両面テープ６Ａによる固定、図４に示すに結束バンド６Ｂによる固定、或いは両面テープ６Ａと結束バンド６Ｂの両方を用いた固定を挙げることができる。
【００３１】
尚、好ましい取付構成としては、先ず、両面テープ６Ａを用いて排便補助具本体３を便座２の好ましい取付位置に仮固定状態で取付ける。と結束バンド６Ｂの両方による固定を挙げることができる。
【００３２】
前記取付説明書７は、前記取付具６を用いて排便補助具本体３を便座２に取付けるための説明を記録した媒体であり、紙媒体であってもよいし、デジタルデータであってもよいし、紙媒体とデジタルデータの両方であってもよい。デジタルデータである場合は、ＣＤ、ＤＶＤ、ＳＤ、ＢＤ等の記録媒体に記録されたものであってもよいし、インターネットにより視聴できる構成であってもよい。取付説明書７に記録された内容としては、取付方法の説明の他に、箱等のパッケージに同梱されている部品構成｛排便補助具本体３、取付具６（両面テープ６Ａ、結束バンド６Ｂ）、取付説明書７｝、部品の材質、使用上の注意、製造者の概要（名称、住所、連絡先等）等を挙げることができる。また取付方法の説明等は、文章や図・写真、音声、動画等で記録されている。
【００３３】
前記排便補助具本体３は、図１〜図３及び図４に示す実施例では、１部材で構成された態様であるが、本発明は係る構成に限定されず、２部材で構成された態様を採ることもできる。
【００３４】
図５〜図８は、排便補助具本体３が２部材で構成された態様の好ましい実施例であり、本実施例では、排便補助具本体３は、基盤部３Ａと表面被覆部３Ｂとの２部材から構成された態様である。
【００３５】
本実施例において、前記基盤部３Ａは、ポリエチレン、ポリプロピレン等の合成樹脂、アルミニウム、ステンレス、チタン等の金属、杉、バーチ、コルク等の木等の非柔軟性材料で形成され、前記表面被覆部３Ｂは、柔軟性合成樹脂、シリコーン樹脂、天然ゴム、合成ゴム等の柔軟性材料で形成されている。これらの材料のうち、好ましくは、基盤部３Ａをポリエチレンで形成し、表面被覆部３Ｂをシリコーン樹脂で形成することである。
【００３６】
また、基盤部３Ａは、便座２の色と同色としてもよいし、種々の異なる色としてもよいし、表面を金色や銀色、或いは樹脂メッキ等のメッキ加工を施した表面仕上げ、梨地仕上げ等の他の表面仕上げを施してもよい。
【００３７】
更に、表面被覆部３Ｂは、便座２の色と同色としてもよいし異なる様々な色としてもよいし、着色透明乃至は無色透明とすることにより基盤部３Ａの形状や色を透過可能な構成としてもよい。
【００３８】
更にまた、排便補助具本体３をカバー部材８によって被覆した状態で便座２に固定する構成においても、取付具６としては両面テープ６Ａを用いて取付けてもよいし、結束バンド６Ｂを用いて取付けてもよく、好ましくは図８に示すように両面テープ６Ａと結束バンド６Ｂの両方を用いて取付けることである。
【００３９】
尚、排便補助具本体３は、上述したように便座２に取り付けられて使用されるが、着脱可能な構成であることが好ましい。かかる構成によれば、排便補助具本体３を不要とする使用者は、便座２から排便補助具本体３を取り外すこと又は取り付けないことができ、当該排便補助具本体３を必要とする使用者は、便座２に排便補助具本体３を取り付けてから該便座２に着座して排便を行うことにより、かかる排便補助具本体３の効果を享受することができる。
【００４０】
以上、本発明に係る痔対策に適する便座補助具について図１〜図８に示す実施例に基づき説明したが、本発明は上記実施例に限定されず、本発明の範囲内において種々の態様を採ることができる。
【００４１】
例えば、図９又は図１０に示すように、排便補助具本体３が、便座２との当接面から内部に向かうと共に便座２の左右方向と平行に形成された状態のスリット状間隙を有するスリット部３３が、便座２の前後方向に並設する複数形成された状態の構成とすることもできる。かかる構成によれば、便座２の排便補助具本体３を取付ける部分の丸みが便座２の製造メーカー毎に様々であっても、或いは同一製造メーカーであっても仕様毎に異なる場合であっても、スリット部３３のスリット状間隙の間隔が前記丸みに合わせて伸縮するので密着状態での安定した取付けが可能である。
【００４２】
排便補助具本体３の形状としては、図１〜図８に示す実施例では、幅が概ね４０〜９０ｍｍ程度、好ましくは概ね５０〜７５ｍｍ程度であるが、本発明はこの幅に限定されず、図１１に示すように、幅が概ね１０〜３０ｍｍ程度の細い形状とすることもできる。かかる細幅形状の態様では、尾骨に局所的に当接することになり、幅広形状の態様に比して強い刺激で作用することになる。尚、１つの凸状構成による刺激は広幅形状であっても細幅形状であっても、肛門付近の皮膚外側から外括約筋に作用し、続いて内括約筋にまで作用することにより、息んだり踏ん張ったり等の強い腹圧をかけることなく円滑に排便を行うことができる。
【００４３】
また、図１２に示すように、図１〜図８に示す実施例よりも更に広幅形状の、おおよそ１５０〜２５０ｍｍ程度とすることも本発明に含まれる。
【００４４】
更に、尾骨に当接する部分が上記した各実施例の１つである態様に限らず、この当接部分が複数の凸部を有する構成であってもよい。図１３に示す実施利では、当接する部分が３個の凸部３４・３４・３４を有する構成を有し、この３個の凸部３４・３４・３４によって尾骨のみならず尾骨の左右両側の箇所に対して刺激が作用する態様とすることもできる。
【００４５】
尚、図１３に示す態様では、凸部３４の数は３個であるが、２個、又は４個〜８個の凸部３４を有する構成も好ましく、複数の凸部３４を有する構成によれば、尾骨のみならず該尾骨の左右両側をも刺激することになるので、肛門付近の皮膚外側から外括約筋に作用し、続いて内括約筋にまで作用することにより、息んだり踏ん張ったり等の強い腹圧をかけることなく円滑に排便を行うことができる。特に、肛門付近に存在する「長強（ちょうきょう）」や「腎兪（じんゆ）」等の排便を促すツボにも作用する。
【００４６】
図１１〜図１３に示す排便補助具本体３の他の実施例においても、排便補助具本体３の前方肉厚部３１が便座２の最後部中央部分の座面における前端縁２０から上方に５〜３０ｍｍまでの範囲内、好ましくは１０〜２０ｍｍまでの範囲内で上方側に突出し、且つ排便補助具本体３の前方突出部３２が前記前端縁２０から５〜３０ｍｍまでの範囲内、好ましくは１０〜１５ｍｍまでの範囲内で前方側に突出するような位置に取付けることにより、排便を促す刺激が尾骨への効果的な刺激で作用させることができる。即ち、肛門付近の皮膚外側から外肛門括約筋に作用し、続いて内肛門括約筋にまで作用することにより、息んだり踏ん張ったり等の強い腹圧をかけることなく円滑に排便を行うことができる。
【００４７】
更に、排便補助具本体３の形状としては、該排便補助具本体３の前方肉厚部３１が便座２の最後部中央部分の座面における前端縁２０から上方に５〜３０ｍｍまでの範囲内で上方側に突出し、且つ排便補助具本体３の前方突出部３２が前記前端縁２０から５〜３０ｍｍまでの範囲内で前方側に突出するような位置に取付ける構成によって、使用者の尾骨を下方から圧接することが可能であれば図１〜図１３に示す形状に限らず、この尾骨を下方から圧接する部分以外の形状については特に限定されない。即ち、尾骨を下方から圧接する前方肉厚部３１・前方突出部３２の厚み・形状と、その他の部分が同じである構成、異なる構成（厚みが薄い、厚みが厚い、幅が狭い、幅が広い、段差を有している等）であってもよい。
【符号の説明】
【００４８】
１  便器
２  便座
２０  最後方部中央部分の前端縁
３  排便補助具本体
３Ａ  基盤部
３Ｂ  表面被覆部
３１  前方肉厚部
３２  前方突出部
３３  スリット部
３４  凸部
４  フタ
５  水タンク
６  取付具
６Ａ  両面テープ
６Ｂ  結束バンド
７  取付説明書
【図１】
2017191770.tif 000003
【図２】
2017191770.tif 000004
【図３】
2017191770.tif 000005
【図４】
2017191770.tif 000006
【図５】
2017191770.tif 000007
【図６】
2017191770.tif 000008
【図７】
2017191770.tif 000009
【図８】
2017191770.tif 000010
【図９】
2017191770.tif 000011
【図１０】
2017191770.tif 000012
【図１１】
2017191770.tif 000013
【図１２】
2017191770.tif 000014
【図１３】
2017191770.tif 000015
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
上面が座面である便座の最後部中央部分に取付けて排便を補助する排便補助具本体と、この排便補助具本体を便座に取付ける取付具と、この取付具を用いて排便補助具本体を便座に取付けるための説明を記録した取付説明書と、を有する排便補助具において、
前記排便補助具本体は、前記便座の最後部中央部分の座面における前端縁から５〜３
０ｍｍまでの範囲内で上方側に突出する前方肉厚部を有しており、且つ前記座面における前端縁から５〜３０ｍｍまでの範囲内で前方側に突出する前方突出部を有する有形物であり、
前記取付具は、前記排便補助具本体を前記前方肉厚部及び前方突出部が各々５〜３０
ｍｍまでの範囲内で突出するように便座に取付ける取付用道具であり、
前記取付説明書は、前記取付具を用いて、前記排便補助具本体を前記前方肉厚部及び
前方突出部が各々５〜３０ｍｍまでの範囲内で突出するように便座に取付けることが記録された記録媒体であり、
かつ前記排便補助具本体は、下記（１）又は（２）に記載の構成を有することを特徴とする排便補助具。
（１）前記排便補助具本体は、１部材で構成されており、柔軟性材料で形成されていること
（２）前記排便補助具本体は、基盤部と表面被覆部との２部材から構成されており、前記基盤部が非柔軟性材料で形成され、前記表面被覆部が柔軟性材料で形成されていること
【請求項２】
前記取付具が、両面テープであることを特徴とする請求項１に記載の排便補助具。
【請求項３】
前記取付具が、結束バンドであることを特徴とする請求項１又は２に記載の排便補助具。
【請求項４】
前記取付説明書が、紙媒体であることを特徴とする請求項１〜３のいずれかに記載の排便補助具。
【請求項５】
前記取付説明書が、デジタルデータであることを特徴とする請求項１〜４のいずれかに記載の排便補助具。
【手続補正２】
【補正対象書類名】明細書
【補正対象項目名】００１３
【補正方法】変更
【補正の内容】
【００１３】
１．上面が座面である便座の最後部中央部分に取付けて排便を補助する排便補助具本体と、この排便補助具本体を便座に取付ける取付具と、この取付具を用いて排便補助具本体を便座に取付けるための説明を記録した取付説明書と、を有する排便補助具において、
前記排便補助具本体は、前記便座の最後部中央部分の座面における前端縁から５〜３
０ｍｍまでの範囲内で上方側に突出する前方肉厚部を有しており、且つ前記座面における前端縁から５〜３０ｍｍまでの範囲内で前方側に突出する前方突出部を有する有形物であり、
前記取付具は、前記排便補助具本体を前記前方肉厚部及び前方突出部が各々５〜３０
ｍｍまでの範囲内で突出するように便座に取付ける取付用道具であり、
前記取付説明書は、前記取付具を用いて、前記排便補助具本体を前記前方肉厚部及び
前方突出部が各々５〜３０ｍｍまでの範囲内で突出するように便座に取付けることが記録された記録媒体であり、
かつ前記排便補助具本体は、下記（１）又は（２）に記載の構成を有することを特徴とする排便補助具。
（１）前記排便補助具本体は、１部材で構成されており、柔軟性材料で形成されていること
（２）前記排便補助具本体は、基盤部と表面被覆部との２部材から構成されており、前記基盤部が非柔軟性材料で形成され、前記表面被覆部が柔軟性材料で形成されていること
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
２．前記取付具が、両面テープであることを特徴とする上記１に記載の排便補助具。
【手続補正６】
【補正対象書類名】明細書
【補正対象項目名】００１７
【補正方法】変更
【補正の内容】
【００１７】
３．前記取付具が、結束バンドであることを特徴とする上記１又は２に記載の排便補助具
。
【手続補正７】
【補正対象書類名】明細書
【補正対象項目名】００１８
【補正方法】変更
【補正の内容】
【００１８】
４．前記取付説明書が、紙媒体であることを特徴とする上記１〜３のいずれかに記載の排便補助具。
【手続補正８】
【補正対象書類名】明細書
【補正対象項目名】００１９
【補正方法】変更
【補正の内容】
【００１９】
５．前記取付説明書が、デジタルデータであることを特徴とする上記１〜４のいずれかに記載の排便補助具。
【手続補正９】
【補正対象書類名】明細書
【補正対象項目名】００２２
【補正方法】変更
【補正の内容】
【００２２】
更に、請求項１に示す発明によれば、尾骨部分の肌表面に対して優しく接すると共に
内活躍筋に対して効果的な刺激を作用させることができる。
【手続補正１０】
【補正対象書類名】明細書
【補正対象項目名】００２３
【補正方法】変更
【補正の内容】
【００２３】
請求項２又は３に示す発明によれば、使用したい時や使用したい人が必要に応じて適用することができる排便補助具を提供することができる。即ち、当該排便補助具を不要とする使用者は、便座から排便補助具を取り外すこと又は取り付けないことができ、当該排便補助具を必要とする使用者は、便座に排便補助具を取り付けてから該便座に着座して排便を行うことにより、かかる排便補助具の効果を享受することができる。
【国際調査報告】
2017191770.tif 000016
2017191770.tif 000017
2017191770.tif 000018
2017191770.tif 000019